(57)【要約】【課題】  地山の掘削土量を減らし、擁壁の安定度を高め、簡単かつ堅牢に築造する。【解決手段】  地山１に張出部３及び凹所４を掘削し、凹所４に溝形擁壁５を施工する。溝形擁壁５を底版部６と側壁部７，８とから上面が開いた断面左右対称の逆台形に一体成形する。すなわち、側壁部７，８に上広がりの勾配９を設け、地山１側の側壁部７で法面を補強する。溝形擁壁５の内側を盛土１４で埋め立て、盛土１４の上に例えば道路２を敷設する。【選択図】        図２
2005282283.tif 000002
【特許請求の範囲】
【請求項１】
上面が開いた溝形擁壁を地山の張出部に施工し、溝形擁壁の内側を盛土で埋め立て、溝形擁壁の地山側の側壁部に上広がりの勾配を設け、該側壁部により地山の法面を補強したことを特徴とする擁壁構造物。
【請求項２】
溝形擁壁を断面逆台形に形成した請求項１記載の擁壁構造物。
【請求項３】
溝形擁壁を断面椀形に形成した請求項１又は２記載の擁壁構造物。
【請求項４】
盛土の上に平坦な土地を創生した請求項１、２又は３記載の擁壁構造物。
【発明の詳細な説明】
【技術分野】
【０００１】
本発明は、主に山間部に築造される擁壁構造物に関するものである。
【背景技術】
【０００２】
従来、図６に示すように、直立形擁壁５１を用いた擁壁構造物が知られている（特許文献１等）。直立形擁壁５１は、現場打ちコンクリートにより底版部５２と直立部５３とからＬ字形又は逆Ｔ字形に形成され、地山５４を平らに掘削した張出部５５の上に施工されている。直立形擁壁５１の背面側には、盛土５６が埋め戻され、盛土５６の上に道路５７が敷設されている。
【特許文献１】特開平６−１７４３５号公報
【発明の開示】
【発明が解決しようとする課題】
【０００３】
ところが、従来の擁壁構造物によると、次のような問題点があった。
（イ）直立形擁壁５１は自重と底版部５２が受ける盛土５６の土砂重量とで起立する構造であるから、直立部５３を高く、底版部５２を大きく（通常、奥行きが擁壁高さの７〜８割程度）形成する必要があり、背面側の地山５４の掘削土量が膨大となった。
（ロ）擁壁５１が高くなるため、作業に困難を伴い、作業能率も悪かった。
【０００４】
（ハ）地山５４に対する擁壁５１の支持面が底版部５２のみに限られるので、擁壁５１の安定度が低くかった。
（ニ）このため、張出部５５の法面を補強するための付帯工事が必要であった。
（ホ）盛土５６の土圧に耐え得るように、直立部５３を厚く形成する必要があった。
（ヘ）盛土５６が高くなるので、道路５７が陥没しないように、盛土５６に補強工事が必要であった。
【０００５】
本発明の目的は、上記課題を解決し、地山の掘削土量を減らし、擁壁の安定度を高め、簡単かつ堅牢に築造することができる擁壁構造物を提供することにある。
【課題を解決するための手段】
【０００６】
上記の課題を解決するために、本発明の擁壁構造物は、上面が開いた溝形擁壁を地山の張出部に施工し、溝形擁壁の内側を盛土で埋め立て、溝形擁壁の地山側の側壁部に上広がり（地山に向かって張り出す）の勾配を設け、該側壁部により地山の法面を補強したことを特徴とする。
【０００７】
ここで、溝形擁壁の構築材料は、特に限定されないが、コンクリート、金属（鋼、アルミニウム合金等）、樹脂（有機繊維、無機繊維、炭素繊維等による繊維強化樹脂や、発泡樹脂等を含む）等を例示でき、これらを組み合わせることもできる。例えば、溝形擁壁の主要部を補強鉄筋入りのコンクリートで構築し、強度の足りない部分を鋼材で構築する又は補強する補うなどである。なお、コンクリートを用いる場合、現場打ち工法で施工することもできるが、工期を短縮できる点で、溝形擁壁にプレキャストコンクリート製品を用いるのが好ましい。プレキャスト製の場合、溝形擁壁を施工が容易な一体形構造としてもよく、現場への搬入が容易な分割形構造としてもよい。
【０００８】
地山側の側壁部の上広がりの勾配は、特に限定されないが、水平面からの角度で表すと、４５度〜８５度が好ましく、６０度〜７５度がさらに好ましい。この勾配が４５度より小さいと、盛土による土圧の影響が大きくなり、８５度より大きいと土圧による押出力を軽減する作用が小さくなるからである。なお、側壁部は断面直線状でも断面曲線状でもよく、断面曲線状の場合の前記上広がりの勾配は例えば平均値又は中心値で考えればよい。
【０００９】
谷側の側壁部の勾配は、特に限定されず、例えば上広がり（谷に向かって張り出す）の勾配でも垂直でもよいが、張り出しによる拡幅効果と重量バランスの点からは上広がりの勾配が好ましい。その勾配は、水平面からの角度で表すと、４５度〜８５度が好ましく、６０度〜７５度がさらに好ましい。断面曲線状の場合の勾配の考え方は上記と同様である。
【００１０】
また、溝形擁壁は、上面が開いた溝形であれば特定の形状に限定されないが、例えば、両方の側壁部に上広がりの勾配を設けた断面逆台形又は断面椀形に形成することができる。この断面逆台形又は断面椀形は、断面左右対称（勾配が同じ）でも断面左右非対称（勾配が異なる）でもよいが、前記のとおり重量バランスの点からは断面左右対称が好ましい。なお、断面椀形の場合は、両側壁部が上広がりの断面曲線状に湾曲するので、上記のように勾配を考える。
【００１１】
本発明の擁壁構造物は、地山の補強を主目的とするものであるが、溝形擁壁の内側を盛土で埋め立てるので、盛土を支持地盤として利用し、その上に平坦な土地を創生することができる。例えば、盛土の上に、道路や鉄道レールを敷設したり、公園や緑地帯を設けたりすることができる。
【発明の効果】
【００１２】
本発明に係る擁壁構造物によれば、溝形擁壁の内側を盛土で埋め立て、上広がりの勾配付きの側壁部で地山の法面を補強したので、地山の掘削土量を減らし、擁壁の安定度を高め、簡単かつ堅牢に築造できるという優れた効果を奏する。
【発明を実施するための最良の形態】
【００１３】
上面が開いた溝形擁壁を地山の張出部に施工し、溝形擁壁の内側を盛土で埋め立て、溝形擁壁の地山側の側壁部に上広がりの勾配を設け、該側壁部により地山の法面を補強する。地山側の側壁部の上広がりの勾配は、水平面からの角度で表すと４５度〜８５度が好ましい。谷側の側壁部も上広がりの勾配が好ましく、その勾配は水平面からの角度で表すと４５度〜８５度が好ましい。溝形擁壁の形状としては、断面逆台形又は断面椀形を例示できる。盛土の上に道路等として利用できる平坦な土地を創生する。
【実施例】
【００１４】
以下、本発明の実施の形態を図面に基づいて説明する。図１及び図２に示すように、この実施形態の擁壁構造物は、山間部において、地山１を補強し、併せて上に平坦な土地（ここでは道路２）を創生するための構造物であって、山腹を縦走するように築造されている。地山１には掘削工事により張出部３と凹所４とが造成され、凹所４には補強鉄筋を埋設したプレキャストコンクリート製品である複数の溝形擁壁５が、その溝長方向を山腹に沿わせるようにして一列に直列され互いに結合されて施工されている。
【００１５】
溝形擁壁５は底版部６と一対の側壁部７，８とから上面が開いた断面左右対称の逆台形に一体成形され、両方の側壁部７，８に上広がりの勾配９が設けられている。溝形擁壁５の上面は道路（車道）を敷設できるだけの十分な幅を有している。同勾配は水平面からの角度で表すと６０度〜７５度である。底版部６は側壁部７，８より厚く形成され、基礎材１０及び均しコンクリート１１を介し地山１に支持されている。地山１側の側壁部７は裏込土１２を介し地山１に支持され、この側壁部７により地山１の法面が補強されている。谷側の側壁部８は下半部が裏込土１２を介し地山１に支持され、上半部は地山１から露出している。
【００１６】
溝形擁壁５の内側は地山１の掘削土を用いた盛土１４で埋め立てられ、盛土１４の上に道路２が敷設されている。両方の側壁部７，８には、盛土１４の浸透水を排出するための排水孔１５が設けられている。地山１側の側壁部７の外側には、道路２と同じ高さに側溝１６が施工されている。谷側の側壁部８の上端には、ガードレール１７のポール１８を立てるための孔１９が設けられている。
【００１７】
上記構成の擁壁構造物によれば、次のような作用効果が得られる。
（ａ）溝形擁壁５により地山１を補強できるとともに、擁壁５を埋め立てた盛土１４を支持地盤として道路２を敷設することができる。また、両方の側壁部７，８が上広がりの勾配９であるから、張り出しによる道路２の拡幅効果が大きい。
（ｂ）溝形擁壁５にプレキャストコンクリート製品を用いたので、工事が簡単であり、工期を短縮することができる。
【００１８】
（ｃ）溝形擁壁５は盛土１４の土砂重量を含む自重によって自立する構造であるから、底版部６を小さく、側壁部７，８を低く形成して、地山１の掘削土量を大幅に削減することができる。
（ｄ）擁壁５が低くなるため、張出部３及び凹所４を安全かつ能率よく掘削することができる。
（ｅ）地山１の掘削範囲が小さくなるので、擁壁建設用地を最小限に抑えることができる。
【００１９】
（ｆ）溝形擁壁５は底版部６及び側壁部７，８の広い面積で地山１に支持されているので、擁壁５の安定度を高めることができる。
（ｇ）擁壁５が断面左右対称の逆台形に成形されているので、重量バランスがよく、擁壁５の安定度が増す。
（ｈ）擁壁５が張出部３に自立安定するので、張出部３の法面を補強するための付帯工事が不要となる。
【００２０】
（ｉ）地山１側の側壁部７に上広がりの勾配９が設けられているので、土圧による押出力を軽減して、溝形擁壁５を張出部３に強固に設置することができる。
（ｊ）擁壁５の内側が盛土１４で埋め立てられているので、擁壁各部の厚さを薄くでき、しかも全体を堅牢に構成することができる。
（ｋ）底版部６が盛土１４を浅い位置で支持しているので、盛土１４が沈下するおそれが少なく、特別な補強工事なしで、道路２の陥没を防止することができる。
【００２１】
本発明は前記実施形態に限定されるものではなく、例えば以下のように、発明の趣旨から逸脱しない範囲で適宜変更して具体化することもできる。
（１）図３に示すように、溝形擁壁２１を断面左右対称の椀形に成形し、湾曲した側壁部２２，２３に曲面勾配２４を設けること。
（２）図４に示すように、溝形擁壁２６を断面左右非対称の逆台形に成形し、地山１側の側壁部２７のみに勾配２８を設け、谷側の側壁部２９を直立させ、その上部に防護壁３０を一体形成すること。
（３）図５に示すよう、溝形擁壁３２をそれぞれプレキャストコンクリート製の１枚の底版３３と２枚の側壁板３４，３５とに３分割して構成し、現場への搬入を容易にし、現場でボルト３６により一体に結合すること。
（４）溝形擁壁を底版部にて幅方向に２分割して構成すること。
【図面の簡単な説明】
【００２２】
【図１】本発明に係る擁壁構造物の一実施形態を示す斜視図である。
【図２】同擁壁構造物の縦断面図である。
【図３】本発明に係る擁壁構造物の変更例を示す縦断面図である。
【図４】本発明に係る擁壁構造物の別の変更例を示す縦断面図である。
【図５】溝形擁壁の変更例を示す分解斜視図である。
【図６】従来の擁壁構造物を示す縦断面図である。
【符号の説明】
【００２３】
１    地山
２    道路
３    張出部
５    溝形擁壁
７    側壁部
８    側壁部
９    勾配
１４    盛土
２１    溝形擁壁
２２    側壁部
２３    側壁部
２４    曲面勾配
２６    溝形擁壁
２７    側壁部
２８    勾配
２９    側壁部
３２    溝形擁壁
【図１】
2005282283.tif 000003
【図２】
2005282283.tif 000004
【図３】
2005282283.tif 000005
【図４】
2005282283.tif 000006
【図５】
2005282283.tif 000007
【図６】
2005282283.tif 000008